(57)【特許請求の範囲】
【請求項１】
複数の壁面板の側端縁同士が折罫部を介して折り曲げ自在に連設され、軸線を上下方向へ延ばすような多角筒状に組み立てられる組立ケース本体と、上記組立ケース本体の各壁面板のうちの一つの壁面板の上端縁に折罫部を介して折り曲げ自在に連設され、上記組立ケース本体の上方に開口する上方開口を閉塞する上蓋板と、上記各壁面板のうちの一つの壁面板の下端縁に折罫部を介して折り曲げ自在に連設され、上記組立ケース本体の下方に開口する下方開口を閉塞する下蓋板と、を備える組立ケースであって、
上記組立ケース本体は、その展開時に上記上蓋板が連設された壁面板が上記各壁面板の一側の外側端に位置し、この壁面板と上記組立ケース本体の展開時に上記各壁面板の他側の外側端に位置する壁面板とが当該組立ケース本体の前側において互いに表裏方向で重なり合うように組み立てられており、
その組み立てられた組立ケース本体の後側に位置する壁面板は、当該壁面板よりも上方へ突出して看板としての機能を有する後側突片を一体的に備えているとともに、
上記上蓋板が連設された壁面板とで上記組立ケース本体の前側において互いに表裏方向で重なり合う上記壁面板は、上記上蓋板が連設された壁面板の表側に位置し、当該壁面板よりも上方へ突出して看板としての機能を有する前側突片を一体的に備えていることを特徴とする組立ケース。
【請求項２】
上記前側突片は、上記表側の壁面板の上部位置から当該壁面板よりも外側方へも突出している請求項１に記載の組立ケース。
【請求項３】
上記後側突片には、上記組立ケース本体を吊下するための吊下孔が穿設されている請求項１に記載の組立ケース。
【発明の詳細な説明】
【技術分野】
【０００１】
本発明は、例えば、菓子、化粧品、薬などの様々な商品が収容物として収容される組立ケースに関する。
【背景技術】
【０００２】
一般に、菓子、化粧品、薬など様々な商品が収容される組立ケースは、紙製又は硬質でかつ透明なプラスチック製などの１枚のブランクシートから一体的に打ち抜かれたケース形成片より組み立てられることがある。
このような組立ケースとしては、従来より、図７に示すような組立ケース５が知られている（例えば、特許文献１参照）。この組立ケース５は、４枚の壁面板５１ａ〜５１ｄの側端縁同士が折罫部５２を介して折り曲げ自在に連設され、かつ軸線を上下方向へ延ばすように組み立てられる四角筒状の組立ケース本体５１を備えている。また、上記組立ケース５は、上記組立ケース本体５１の各壁面板５１ａ〜５１ｄのうちの一つの壁面板５１ｃ（具体的には前側に位置する壁面板５１ａ）の上端縁及び下端縁にそれぞれ折罫部５２を介して折り曲げ自在に連設された上蓋板５３及び下蓋板５４を備えている。上記上蓋板５３によって、上記組立ケース本体５１の上方に開口する上方開口を閉塞する一方、上記下蓋板５４によって、上記組立ケース本体５１の下方に開口する下方開口を閉塞している。この場合、上蓋板５３及び下蓋板５４は、それぞれ反壁面板５１ａ側（反折罫部５２側）の端縁に折罫部５５を介して折り曲げ自在に連設された差込舌片５３ａ，５４ａを有し、上蓋板５３及び下蓋板５４が上方開口及び下方開口を閉塞した状態で、上記差込舌片５３ａ，５４ａが組立ケース本体５１内に入り込む。
【先行技術文献】
【特許文献】
【０００３】
【特許文献１】特開２００６−２１２８６１号公報
【発明の概要】
【発明が解決しようとする課題】
【０００４】
ところで、商品が収容された組立ケースは、複数個をケース状の梱包材に箱詰めして保管流通に供され、販売店などで梱包材から取り出されて個々に陳列される。
その場合、販売店にて陳列された組立ケースには、主として商品を目立たせて広告宣伝効果を高めるため、一部分を組立ケースから突出させるラベル（この種のラベルは、ＰＯＰラベルとも言われる。以下、ＰＯＰラベルと略称する場合がある）が貼着されることがある。このＰＯＰラベルは、一般に所定形状の柔軟なシート状ラベルからなり、主として、組立ケースの前側に位置する壁面板の上端に貼着される貼着部と、当該壁面板よりも上方へ突出する突出部と、から構成されている。この場合、貼着部は、ＰＯＰラベルの下端部における幅方向の一部分に限定して設けられることはなく、下端部の幅方向全域に亘って設けられるため、貼着された壁面板の上方へのみ突出部が突出している。
【０００５】
ところが、上記ＰＯＰラベルは、組立ケースとは別途に製造されるため、製造コストを要する上、組立ケースに対し人手により貼着しなければならないために人件費を要し、コストが非常に嵩んでしまう。
そこで、組立ケースに、商品を目立たせて広告宣伝効果を高めるための看板としての機能を付与した突片を一体的に突設させることが提案されている。具体的には、図８に示すように、四角筒状の組立ケース本体５１の各壁面板５１ａ〜５１ｄのうちの後側に位置する壁面板５１ｃの上端縁に折罫部５２を介して上蓋板５３を折り曲げ自在に連設する一方、前側に位置する壁面板５１ａに当該壁面板５１ａよりも上方へ突出する突片６１を一体的に突設し、この突片６１に看板としての機能を付与している。なお、図８に示す組立ケースの突片６１を除くその他の基本的な構成は、図７に示す組立ケースと実質的に同じであるので、同一部分については同じ符号を付してその詳細な説明は省略している。
【０００６】
しかし、上記提案のものでは、前側に位置する壁面板５１ａより上方へ突出する突片６１によって看板としての機能が付与されてはいるものの、組立ケース５が透明なプラスチック製のものであれば、見栄えが著しく悪化する。これは、後側に位置する壁面板５１ｃの上端縁及び下端縁にそれぞれ折罫部５２を介して上蓋板５３及び下蓋板５４が折り曲げ自在に連設されているため、前側に位置する壁面板５１ａの裏面に沿って上蓋板５３及び下蓋板５４の差込舌片５３ａ，５４ａが差し込まれると、この差込舌片５３ａ，５４ａが壁面板５１ａを透して前方から露見するからである。そのため、差込舌片５３ａ，５４ａが壁面板５１ａを透して前方から露見していると、組立ケース５の見栄えを良好に保つことができず、商品イメージを悪化させてしまう。
【０００７】
かかる点から、上記組立ケースを前後逆転させ、前側に位置する壁面板の上端縁及び下端縁にそれぞれ折罫部を介して上蓋板及び下蓋板を折り曲げ自在に連設し、後側に位置する壁面板の裏面に沿って上蓋板及び下蓋板の差込舌片を差し込んで、この差込舌片が前方から露見し難くする。そして、後側に位置する壁面板に当該壁面板よりも上方へ突出する突片を一体的に突設して看板としての機能を付与することも考えられる。
しかしながら、組立ケース本体の後側に位置する壁面板に突片を上方へ突設させて看板としての機能を付与しても、組立ケース本体の前側の壁面板より上方へ突設する突片に看板機能を付与したものに比して看板としてのインパクトが小さくなることが否めず、商品を目立たせて広告宣伝効果を高める上で不利なものとなる。
【０００８】
本発明は、かかる点に鑑みてなされたものであり、その目的とするところは、商品を圧倒的に目立たせて広告宣伝効果を飛躍的に高め、かつ見栄えを良好に保って商品イメージを向上させることができる組立ケースを提供することにある。
【課題を解決するための手段】
【０００９】
上記目的を達成するため、本発明では、複数の壁面板の側端縁同士が折罫部を介して折り曲げ自在に連設され、軸線を上下方向へ延ばすような多角筒状に組み立てられる組立ケース本体と、上記組立ケース本体の各壁面板のうちの一つの壁面板の上端縁に折罫部を介して折り曲げ自在に連設され、上記組立ケース本体の上方に開口する上方開口を閉塞する上蓋板と、上記各壁面板のうちの一つの壁面板の下端縁に折罫部を介して折り曲げ自在に連設され、上記組立ケース本体の下方に開口する下方開口を閉塞する下蓋板と、を備える組立ケースを前提とする。更に、上記組立ケース本体は、その展開時に上記上蓋板が連設された壁面板が上記各壁面板の一側の外側端に位置し、この壁面板と上記組立ケース本体の展開時に上記各壁面板の他側の外側端に位置する壁面板とが当該組立ケース本体の前側において互いに表裏方向で重なり合うように組み立てられている。そして、組み立てられた組立ケース本体の後側に位置する壁面板は、当該壁面板よりも上方へ突出して看板としての機能を有する後側突片を一体的に備えている。また、上記上蓋板が連設された壁面板とで上記組立ケース本体の前側において互いに表裏方向で重なり合う上記壁面板は、上記上蓋板が連設された壁面板の表側に位置し、当該壁面板よりも上方へ突出して看板としての機能を有する前側突片を一体的に備えている。
この特定事項により、組立ケース本体の後側に位置する壁面板よりも上方へ後側突片を突出させるとともに、上記組立ケース本体の前側に位置する壁面板よりも上方へ前側突片を突出させて、上記後側突片及び前側突片にそれぞれ看板としての機能を付与している。これにより、後側突片によるディスプレイ効果に加え、それよりも看板としてのインパクトの大きい前側突片によるディスプレイ効果によって、商品を圧倒的に目立たせて広告宣伝効果を飛躍的に高めることが可能となる。
しかも、上記上蓋板が連設された壁面板が組立ケース本体の前側において裏側に位置することになり、その上蓋板の差込舌片は後側に位置する壁面板の裏面に沿って組立ケース本体内に差し込まれることになる。このため、上記上蓋板の差込舌片が、前側に位置する壁面板を透して前方から露見することがない。これにより、前側に位置する壁面板に前側突片が突設されていても、組立ケースの見栄えを良好に保って商品イメージを向上させることが可能となる。
【００１０】
また、上記前側突片は、上記表側の壁面板の上部位置から当該壁面板よりも外側方へも一体的に突出していることが好ましい。この場合、前側突片が表側の壁面板の上部位置から当該壁面板よりも外側方へも一体的に突出しているので、看板としてのインパクトの大きい前側突片によるディスプレイ効果がさらに高められ、商品を目立たせ且つ広告宣伝機能を高めるための看板としての機能をより一層飛躍的に発揮することができる。
しかも、幅方向全域に亘って貼着部が設けられているために上方へのみしか突出させることができなかったＰＯＰラベルに比しても明らかにディスプレイ効果に差があり、実施する上で非常に有利なものとなる。
【００１１】
更に、上記後側突片には、上記組立ケース本体を吊下するための吊下孔が穿設されていてもよい。この場合には、看板としてのインパクトの大きい前側突片によってディスプレイ効果を図りつつ商品を吊り下げて陳列することができる。
【発明の効果】
【００１２】
以上、要するに、後側の壁面板及び前側の壁面板より後側突片及び前側突片をそれぞれ上方へ突出させて看板としての機能を付与することで、後側突片によるディスプレイ効果に加え、それよりも看板としてのインパクトの大きい前側突片によるディスプレイ効果によって、商品を圧倒的に目立たせて広告宣伝効果を飛躍的に高めることができる。
しかも、上蓋板が連設された壁面板が組立ケース本体の前側において裏側に位置し、その上蓋板の差込舌片が後側の壁面板の裏面に沿って組立ケース本体内に差し込まれて前側の壁面板を透して前方から露見することがない。これにより、前側の壁面板に前側突片が突設されていても、組立ケースの見栄えを良好に保って、商品イメージを向上させることができる。
【図面の簡単な説明】
【００１３】
【図１】本発明の実施の形態に係る組立ケースを得るために打ち抜かれた打ち抜きシートの展開図である。
【図２】図１の組立ケースの組立ケース本体を組み立てた状態で斜め前方から見た斜視図である。
【図３】図１の組立ケースの組立ケース本体を組み立てた状態で上方から見た上面図である。
【図４】図２の組立ケース本体の上方開口及び下方開口を各サイドフラップにより塞ぐようにそれぞれ折罫部で折り曲げた状態で組立ケースを斜め前方から見た斜視図である。
【図５】図２の組立ケース本体の上方開口及び下方開口を上蓋板及び下蓋板により閉塞した状態で組立ケースを斜め前方から見た斜視図である。
【図６】図１の組立ケースの組立ケース本体を箱詰めに備えて前壁面板及び左壁面板が上になるように折り畳んだ状態で上から見た図である。
【図７】従来例に係る組立ケースの組立ケース本体を組み立てた状態で斜め前方から見た斜視図である。
【図８】その他の従来例に係る組立ケースの組立ケース本体を組み立てた状態で斜め前方から見た斜視図である。
【発明を実施するための形態】
【００１４】
以下、添付図面を参照しながら、本発明の実施の形態について説明し、本発明の理解に供する。尚、以下の実施の形態は、本発明を具体化した一例であって、本発明の技術的範囲を限定する性格のものではない。
まず、図１を用いて、本発明の実施の形態に係る組立ケース１の概略構成について説明する。
【００１５】
図１に示すように、上記組立ケース１は、組立ケース本体１１と、上蓋板１２と、下蓋板１３とを備えている。この上記組立ケース１は、ポリプロピレンやポリエチレンテレフタレートなどの透明プラスチックシートを打ち抜いて形成した打ち抜きシートＳを組み立てることによって得られる。
【００１６】
上記組立ケース本体１１は、前壁面板１１ａ、左壁面板１１ｂ、後壁面板１１ｃ、右壁面板１１ｄにもう１つの前壁面板１１ｅを加えた５つの壁面板１１ａ〜１１ｅにより構成されている。上記各壁面板１１ａ〜１１ｅのうち、上記２つの前壁面板１１ａ，１１ｅは、組立ケース本体１１の展開時にそれぞれ一側及び他側の外側端（図１では左右の両側端）に位置している。上記各壁面板１１ａ〜１１ｅは、互いに相隣る壁面板の側端縁同士が折罫部２１を介して折り曲げ自在に連設されている。そして、図２及び図３に示すように、上記組立ケース本体１１（各壁面板１１ａ〜１１ｅ）は、上記両前壁面板１１ａ，１１ｅを上記組立ケース本体１１の前側において互いに表裏方向で重なり合わせることで、軸線ｍを上下方向へ延ばすように４角筒状に組み立てられる。また、上記組立ケース本体１１は、上記表側の前壁面板１１ｅの外端縁（反右壁面板１１ｄ側の端縁）に折罫部２２を介して折り曲げ自在に連設された糊代片１１ｆを備えている。そして、上記組立ケース本体１１は、上記表側の前壁面板１１ｅと糊代片１１ｆとの間の折罫部２２が上記裏側の前壁面板１１ａと左壁面板１１ｂとの間の折罫部２１に略一致するように糊代片１１ｆを左壁面板１１ｂの表面に両面粘着テープ１０で貼り合わせることによって組立形状を保持している。
【００１７】
また、上記上蓋板１２は、上記組立ケース本体１１の各壁面板１１ａ〜１１ｅのうちの一つの壁面板の上端縁、具体的には裏側の前壁面板１１ａの上端縁に、折罫部２３を介して折り曲げ自在に連設されている。この上蓋板１２は、上記組立ケース本体１１の上方に開口する上方開口１４を閉塞するためのものである。また、上蓋板１２は、その反壁面板１１ａ側の端縁（図１では上端縁）に差込舌片１５を備えている。この差込舌片１５は、図４に示すように、上記上蓋板１２が上方開口１４を閉塞した状態で、上記組立ケース本体１１内に入り込む。そして、上記差込舌片１５は、その幅が上記上蓋板１２の反壁面板１１ａ側の端縁の中央位置においてその端縁の幅の略半分に設定された基端部１５１と、上記後壁面板１１ｃの裏面に沿って組立ケース本体１１内に差し込まれる差込舌片本体１５２とを備えている。更に、上記差込舌片１５の基端部１５１は、上記上蓋板１２の反折罫部２３側の端縁中央に設けられた凹設部１２１に折罫部２４を介して折り曲げ自在に連設されている。
【００１８】
また、上記下蓋板１３は、上記組立ケース本体１１の各壁面板１１ａ〜１１ｅのうちの一方の前壁面板１１ａを除く一つの壁面板の下端縁、具体的には表側の前壁面板１１ｅの下端縁に、折罫部２５を介して折り曲げ自在に連設されている。この下蓋板１３は、上記組立ケース本体１１の下方に開口する下方開口１６を閉塞するためのものである。また、下蓋板１３は、その反壁面板１１ｅ側の端縁（図１では下端縁）に差込舌片１７を備えている。この差込舌片１７は、上記下蓋板１３が下方開口１６を閉塞した状態で、上記組立ケース本体１１内に入り込む。そして、上記差込舌片１７は、その幅が上記下蓋板１３の反壁面板１１ｅ側の端縁の中央位置においてその端縁の幅の略半分に設定された基端部１７１と、上記後壁面板１１ｃの裏面に沿って組立ケース本体１１内に差し込まれる差込舌片本体１７２とを備えている。更に、上記差込舌片１７の基端部１７１は、上記下蓋板１３の反折罫部２５側の端縁中央に設けられた凹設部１３１に折罫部２６を介して折り曲げ自在に連設されている。
【００１９】
更に、上記左壁面板１１ｂ及び上記右壁面板１１ｄの上下両端縁には、それぞれサイドフラップ１８が折罫部２７を介して折り曲げ自在に連設されている。これらのサイドフラップ１８は、上方開口１４及び下方開口１６を塞ぐように折罫部２７で折り曲げられたとき、その先端同士が互いに重なり合わない長さ、つまり各前壁面板１１ａ，１１ｅ及び後壁面板１１ｃの幅方向（図１では左右方向）の長さの半分よりも若干短い長さに形成されている。また、上記各サイドフラップ１８は、上記各折罫部２７で折り曲げられたとき、それぞれの前端辺が上記裏側の前壁面板１１ａと上蓋板１２及び上記表側の前壁面板１１ｅと下蓋板１３との折罫部２３，２５に略一致するように上記各折罫部２７に対し直交する方向に直線状に延びている。一方、上記各サイドフラップ１８の後端辺は、上記各折罫部２７で折り曲げられたとき、上記各折罫部２７に対しそれぞれ直交する方向に直線状に延びたのち上記折罫部２３，２５側へ段差状に切り欠かれて上記各サイドフラップ１８の先端に向かって斜め方向に延びている。
【００２０】
また、図５に示すように、上記各サイドフラップ１８が上記各折罫部２７で折り曲げられたとき、その上方開口１４及び下方開口１６において両サイドフラップ１８の後端辺と後壁面板１１ｃとの間に平面視で略三角形状を呈する挿入隙間１９が形成される。この挿入隙間１９は、上記差込舌片１５，１７の基端部１５１，１７１側とほぼ同幅に形成され、上記差込舌片１５，１７が後壁面板１１ｃの裏面に沿っていれば、挿入がスムーズに行われる。この場合、上記差込舌片１５，１７は、その基端部１５１，１７１が上記上蓋板１２及び下蓋板１３の反折罫部２３，２５側の端縁中央の凹設部１２１，１３１に折罫部２４，２６を介して連設されているので、上記挿入隙間１９に差込舌片１５，１７の基端部１５１，１７１が挿入されると、その基端部１５１，１７１よりも外側に位置する差込舌片１５，１７の基端部１５１，１７１側の端縁が各サイドフラップ１８の裏面に係合し、上蓋板１２及び下蓋板１３の開放を規制する機能を有している。
【００２１】
そして、上記後壁面板１１ｃの上端縁には、当該後壁面板１１ｃよりも上方へ突出して看板としての機能を有する後側突片３１が一体的に突設されている。この後側突片３１は、上記後壁面板１１ｃとほぼ同一の幅に形成され、その上方への突出長さが上記上蓋板１２の長さつまり上蓋板１２の折罫部２３，２４間での長さよりも僅かに短く形成されている。また、上記後側突片３１の上端縁左右の角部は、それぞれ円弧状に面取り加工されている。そして、上記後壁面板１１ｃの上端縁には、上記後側突片３１を前方へ折り曲げ可能とする折罫部２８が形成されている。この場合、上記後壁面板１１ｃの上端縁の折罫部２８は、組立ケース１を組み立てて内部に商品を収容した状態で複数個をケース状の梱包材に箱詰めして保管流通に供する際に、上蓋板１２の表面に沿って折り曲げられることで、上記梱包材への箱詰め効率を高めるようにしている。
【００２２】
更に、上記表側の前壁面板１１ｅの上端縁には、当該前壁面板１１ａよりも上方へ突出して看板としての機能を有する前側突片３２が一体的に突設されている。この前側突片３２は、上記表側の前壁面板１１ｅの上端縁の左略半分部（図１では右略半分部）より上方へ突出している。更に、上記前側突片３２は、上記表側の前壁面板１１ｅの上部位置から当該前壁面板１１ｅの外端縁（図３では右端縁）よりも外側方（図３では右側方）へも一体的に突出している。
また、上記前側突片３２の上端縁左右の角部及び左側の下端縁は、それぞれ円弧状に面取り加工されている。そして、上記前側突片３２は、上記表側の前壁面板１１ｅの上部位置から外側方へ突出している関係上、当該前壁面板１１ｅに連設される糊代片１１ｆに跨って当該糊代片１１ｆの上部位置を切り欠いて形成されている。その切り欠かれた糊代片１１ｆの上部位置の切欠孔３３は、当該糊代片１１ｆが貼着される左壁面板１１ｂによって裏面側から塞がれている。この場合、前側突片３２及び後側突片３１の双方には、それぞれ裏面側から印刷されて看板としての機能が付与されている。
【００２３】
次に、組立ケース１の組み立てから商品を収容して販売店などで陳列されるまでの流れを説明する。
【００２４】
まず、図１に示すように、透明プラスチックシートを打ち抜いて形成した打ち抜きシートＳを透明プラスチックシートから外す。このとき、打ち抜きシートＳには、裏面側からの印刷が既に完了している。
【００２５】
次いで、組立ケース本体１１の２つの前壁面板１１ａ，１１ｅを当該組立ケース本体１１の前側において互いに表裏方向で重なり合わせて、組立ケース本体１１を４角筒状に組み立てる。このとき、表側の前壁面板１１ｅと糊代片１１ｆとの間の折罫部２２が裏側の前壁面板１１ａと左壁面板１１ｂとの間の折罫部２１に略一致するように糊代片１１ｆを左壁面板１１ｂの表面に両面粘着テープ１０で貼り合わせることによって組立ケース本体１１の組立形状を保持する。
【００２６】
次いで、図６に示すように、表側の前壁面板１１ｅと右壁面板１１ｄとの間の折罫部２１、及び、後壁面板１１ｃと左壁面板１１ｂとの間の折罫部２１において折り曲げて組立ケース１を畳んだ状態にする。この畳んだ状態の組立ケース１は、ケース状の梱包材に箱詰めされて、当該組立ケース１の内部に収容される商品の収容場所などに搬送される。
【００２７】
その後、商品の収容場所などにおいて、組立ケース１を梱包材から取り出して組み立てる。
具体的には、図２に示すように、裏側の前壁面板１１ａと左壁面板１１ｂとの間の折罫部２１、及び表側の前壁面板１１ｅと糊代片１１ｆとの間の折罫部２２、並びに、後壁面板１１ｃと右壁面板１１ｄとの間の折罫部２１においてそれぞれ折り曲げて組立ケース本体１１を四角柱状にする。
【００２８】
それから、組立ケース本体１１の上方開口１４及び下方開口１６のうち、下方開口１６を先に閉塞する。具体的には、左壁面板１１ｂ及び右壁面板１１ｄの下端縁の各サイドフラップ１８を、組立ケース本体１１の下方開口１６を塞ぐようにそれぞれ折罫部２７で折り曲げる。その後、表側の前壁面板１１ｅの下端縁の下蓋板１３を折罫部２６で折り曲げるとともに、差込舌片１７を折罫部２６で折り曲げる。そして、上記各サイドフラップ１８を折罫部２７で折り曲げたときに形成される挿入隙間１９に、上記差込舌片１７を挿入して下方開口１６を下蓋板１３により閉塞する。
【００２９】
しかる後、組立ケース本体１１の内部に上方開口１４を介して商品を収容する。それから、組立ケース本体１１の上方開口１４を閉塞する。具体的には、左壁面板１１ｂ及び右壁面板１１ｄの上端縁の各サイドフラップ１８を、組立ケース本体１１の上方開口１４を塞ぐようにそれぞれ折罫部２７で折り曲げる。その後、裏側の前壁面板１１ａの上端縁の上蓋板１２を折罫部２３で折り曲げるとともに、差込舌片１５を折罫部２４で折り曲げる。そして、上記各サイドフラップ１８を折罫部２７で折り曲げたときに形成される挿入隙間１９に、上記差込舌片１５を挿入して上方開口１４を上蓋板１２により閉塞する。
【００３０】
その後、商品が収容された組立ケース１を、図示しないケース状の梱包材に縦横方向及び高さ方向にも並べて複数個の箱詰めを行う。このとき、各組立ケース１の後壁面板１１ｃの上端縁より上方へ突出する後側突片３１は、前側突片３２よりも上方への突出量が大きいため、梱包材の形状によっては、それぞれ折罫部２８により上蓋板１２の表面に沿って折り曲げられた状態で箱詰めされる。
【００３１】
そして、箱詰めされた各組立ケース１は、保管流通に供されて販売店などに流通されると、梱包材から取り出されて個々に陳列される。このとき、各組立ケース１の後側突片３１が折罫部２８により前方へ折り曲げられている場合には、後側突片３１を折罫部２８に沿って後方へ戻して起立させておく。
【００３２】
したがって、上記実施の形態では、組立ケース本体１１の後壁面板１１ｃよりも上方へ後側突片３１を突出させるとともに、組立ケース本体１１の表側の前壁面板１１ｅよりも上方へ前側突片３２を突出させて、上記後側突片３１及び前側突片３２にそれぞれ看板としての機能を付与している。これにより、後側突片３１によるディスプレイ効果に加え、これよりもインパクトの大きい前側突片３２によるディスプレイ効果によって、商品を圧倒的に目立たせて広告宣伝効果を飛躍的に高めることができる。
しかも、上記前側突片３２は、上記表側の壁面板１１ｅの上部位置から当該壁面板１１ｅよりも外側方へも突出しているので、インパクトの大きい前側突片３２によるディスプレイ効果がさらに高められ、商品を目立たせ且つ広告宣伝機能を高めるための看板としての機能をより一層飛躍的に発揮することができる。更に、幅方向全域に亘って貼着部が設けられているために上方へのみしか突出させることができなかったＰＯＰラベルに比しても明らかにディスプレイ効果に差があり、実施する上で非常に有利なものとなる。
【００３３】
また、上記上蓋板１２が連設された壁面板１１ａが組立ケース本体１１の前側において裏側に位置することになり、その上蓋板１２の差込舌片１５は後側に位置する壁面板１１ｃの裏面に沿って組立ケース本体１１内に差し込まれることになる。このため、上記上蓋板１２の差込舌片１５が、組立ケース本体１１の後側に位置し、前側に位置する２つの壁面板１１ａ，１１ｅを透して前方から露見することがない。これにより、前側に位置する壁面板１１ｅに前側突片３２が突設されていても、組立ケース１の見栄えを良好に保って商品イメージを向上させることができる。
【００３４】
なお、本発明は、上記実施の形態に限定されるものではなく、その他種々の変形例を包含している。例えば、上記実施の形態では、後側突片３１に看板としての機能を備えさせたが、組立ケース本体を吊下するための吊下孔が後側突片に穿設されていてもよい。この場合、吊下孔は真円形状又は長孔形状などに適宜穿設され、看板としてのインパクトの大きい前側突片によってディスプレイ効果を図りつつ商品を吊り下げて陳列することが可能となる。
【００３５】
また、上記実施の形態では、組立ケース本体１１を５つの壁面板１１ａ〜１１ｅにより構成し、その組立ケース本体１１の展開時にそれぞれ一側及び他側の外側端に位置する両前壁面板１１ａ，１１ｅを当該組立ケース本体１１の前側において互いに表裏方向で重なり合わせて４角筒状に組み立てたものを適用したが、４つの壁面板により組立ケース本体を構成し、その組立ケース本体の展開時にそれぞれ一側及び他側の外側端に位置する両前壁面板を当該組立ケース本体の前側において互いに表裏方向で重なり合わせて３角筒状に組み立てられたものにも適用できる。また、６つ以上の壁面板により組立ケース本体を構成し、その組立ケース本体の展開時にそれぞれ一側及び他側の外側端に位置する両前壁面板を当該組立ケース本体の前側において互いに表裏方向で重なり合わせて壁面板の総数よりも１つ少ない数の多角筒状に組み立てられたものにも適用できる。
【００３６】
また、上記実施の形態では、透明プラスチックシートを打ち抜いて形成した打ち抜きシートＳを組み立てることによって組立ケース１を得たが、紙シートを打ち抜いて形成した打ち抜きシートを組み立てることによって組立ケースが得られるようにしてもよい。
【００３７】
更に、上記実施の形態では、糊代片１１ｆを左壁面板１１ｂの表面に両面粘着テープ１０で貼り合わせたが、糊代片が左壁面板の表面に接着剤で接着されていてもかまわないし、熱による熱融着により接着されていても構わない。
また、上記実施の形態では、各サイドフラップ１８が上方開口１４及び下方開口１６を塞ぐように折罫部２７で折り曲げられたとき、その先端同士が互いに重なり合わない長さに形成したが、先端同士が互いに重なり合う長さにサイドフラップが形成されていてもよい。
【符号の説明】
【００３８】
１      組立ケース
１１    組立ケース本体
１１ａ  裏側の前壁面板
１１ｂ  左壁面板
１１ｃ  後壁面板
１１ｄ  右壁面板
１１ｅ  表側の前壁面板
１２    上蓋板
１３    下蓋板
１４    上方開口
１６    下方開口
２１    折罫部
２３    折罫部
２５    折罫部
３１    後側突片
３２    前側突片
【図１】
0005439123.tif 000002
【図２】
0005439123.tif 000003
【図３】
0005439123.tif 000004
【図４】
0005439123.tif 000005
【図５】
0005439123.tif 000006
【図６】
0005439123.tif 000007
【図７】
0005439123.tif 000008
【図８】
0005439123.tif 000009